(57)【要約】【課題】  落下時にロックが外れることを防止することができるとともに、収納部に蓋部とを係合させるロック操作を容易に行えるテープカセット用収納ケースを提供する。【解決手段】  本発明のテープカセット用収納ケース１０は、テープカセットＣを収納する収納部１１と、収納部１１を囲む外板１３，１４，１５を有する蓋部１２と、収納部１１に蓋部１２を開閉可能に連結するヒンジ板部１６と、蓋部１２の外板１３の外側面に形成された係合部３６と、収納部１１におけるヒンジ板部１６と反対側に、ヒンジ部１８を介して可動に連結されたロック片１７とを備え、ロック片１７の先端部Ｌ２には、係合部３６に係合可能な係止部４４が設けられ、係止部４４が設けられた部位がロック片１７の基端部Ｌ１に比べて可撓性が大きくなるように構成されている。【選択図】  図１
2006001584.tif 000002
【特許請求の範囲】
【請求項１】
テープカセットを収納する収納部と、
前記収納部を囲む外板を有する蓋部と、
前記収納部に前記蓋部を開閉可能に連結するヒンジ板部と、
前記蓋部の前記外板の外側面に形成された係合部と、
前記収納部における前記ヒンジ板部と反対側に、ヒンジ部を介して可動に連結されたロック片とを備え、
前記ロック片の先端部には、前記係合部に係合可能な係止部が設けられ、前記係止部が設けられた部位が前記ロック片の基端部に比べて可撓性が大きくなるように構成されていることを特徴とするテープカセット用収納ケース。
【請求項２】
前記ロック片には、前記先端部を除く、前記基端部の周縁を囲うようにリブが形成されていることを特徴とする請求項１に記載のテープカセット用収納ケース。
【請求項３】
前記ロック片には、前記係止部が設けられた部位が他の部位に対して分枝するように複数の切込部が形成されていることを特徴とする請求項１に記載のテープカセット用収納ケース。
【請求項４】
前記ロック片には、前記係止部が設けられた部位近傍を除き、前記先端部及び前記基端部の周縁を囲うようにリブが形成されていることを特徴とする請求項１に記載のテープカセット用収納ケース。
【発明の詳細な説明】
【技術分野】
【０００１】
本発明は、放送局でテープカセットを収納して保護するのに用いられるテープカセット用収納ケースに関する。
【背景技術】
【０００２】
一般に、放送局で用いられるテープカセットは、市販のビデオテープカセットなどに比較して大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の収納ケースに収納される。
【０００３】
このような従来のテープカセット用収納ケースの一例として、収納部と、蓋部と、ヒンジ部と、からなるテープカセット用収納ケースが知られている（例えば、特許文献１参照）。
【０００４】
図９は、従来のテープカセット用収納ケースを示す図である。
図９に示すように、従来のテープカセット用収納ケース１００は、ハードタイプのケース本体を有し、ケース本体が、四側壁７２を有する収納部７１と、三側壁７４を有する蓋部７３と、収納部７１の底面板７５及び蓋部７３の天面板７６とがヒンジ７７，７８によって接続され、該蓋部７３を閉じた状態で蓋部７３の一側壁になる連接部７９と、からなる。
【０００５】
蓋部７３の内部において、連接部７９とは反対側の正面側の側壁７４の両端部には鉤部８１を備えた側壁ロック部８０が形成されている。鉤部８１は蓋部７３を閉じた時に、収納部７１の側壁７２に形成されている係止穴８２に係止される。
【０００６】
また、テープカセット用収納ケース１００には、連接部７９とは反対の正面側に、外周縁部８３を欠落させてサイドロック部８４が設けられている。サイドロック部８４は、収納部７１の底面板７５にヒンジ８５を介して接続され、フラップ板８６が設けられており、閉じられた蓋部７３の側壁７４に重ね合わされた時に、フラップ板８６に形成されている鉤部８７が蓋部７３の側壁７４の外表面の係止部（不図示）に係止されてロックされる。
【０００７】
【特許文献１】特開２００２−１７９１７６号公報
【発明の開示】
【発明が解決しようとする課題】
【０００８】
ところで、テープカセット用収納ケース１００では、サイドロック部８４がロックされたテープカセット用収納ケース１００を落としてしまった時に、その衝撃によってサイドロック部８４が係止部から外れ、収納されているテープカセットが飛び出してテープカセットが損傷することがある。このため、落下時に収納部７１と蓋部７３との係合が外れないようにするため、サイドロック部８４を蓋部７３の係止部に係止ロックさせるときに、収納部７１を蓋部７３側に手指で押し付けつつサイドロック部８４を蓋部７３の側壁７４へ押し込むことで、ロック部の係合を強めている。
【０００９】
しかし、ロック部を押し込む必要があり、ロックするのに弱い力で行うことが困難となる。一方で、ロック部を蓋部７３の係止部に弱い力でロックできる構成にすると、ロック部の係合が外れやすくなってしまう。このため、従来のテープカセット用収納ケースは、ロック部を蓋部７３の係合部に係合させやすくするとともに、落下時の衝撃によってロックが外れにくくする点で改善の余地があった。
【００１０】
本発明は、上述した事情に鑑みてなされたものであり、その目的は、落下時にロックが外れることを防止することができるとともに、蓋部と収納部のロック操作を容易に行えるテープカセット用収納ケースを提供することにある。
【課題を解決するための手段】
【００１１】
本発明の上記目的は、テープカセットを収納する収納部と、前記収納部を囲む外板を有する蓋部と、前記収納部に前記蓋部を開閉可能に連結するヒンジ板部と、前記蓋部の前記外板の外側面に形成された係合部と、前記収納部における前記ヒンジ板部と反対側に、ヒンジ部を介して可動に連結されたロック片とを備え、前記ロック片の先端部には、前記係合部に係合可能な係止部が設けられ、前記係止部が設けられた部位が前記ロック片の基端部に比べて可撓性が大きくなるように構成されていることを特徴とするテープカセット用収納ケースによって達成される。
【００１２】
上記のテープカセット用収納ケースによれば、ロック片のおいて、係止部が設けられた部位が基端部よりも可撓性が大きくなるように構成されている。すると、ロック片を蓋部に係合する際に、該ロック片の先端部における係止部近傍のみを適宜に撓ませることで、係止部を係合部に係合させることができるため、ロック操作が容易になる。また、係止部が設けられていない基端部は、先端部より可撓性が小さいため、該基端部のロック片の剛性が先端部より高くなり、ロック片を蓋部に係合させた状態で、落下の衝撃が加わっても基端部に撓みが生じにくくなる。すると、基端部に生じた撓みに起因してロック片の係合が外れてしまうことを抑制することができ、収納部からテープカセットが飛び出して損傷することを防止できる。
【００１３】
上記テープカセット用収納ケースにおいて、ロック片には、先端部を除く、基端部の周縁を囲うようにリブが形成されていることが好ましい。
こうすれば、テープカセット用収納ケースは、ロック片の基端部にはリブが形成されて落下の衝撃によって撓みにくくなるように剛性を確保させることができるとともに、先端部にリブが形成されていないため、ロック片の係止部を蓋部の係合部に係合させる際に、該先端部のみを撓ませることができるようになる。
【００１４】
上記テープカセット用収納ケースにおいて、ロック片には、係止部が設けられた部位が他の部位に対して分枝するように複数の切込部が形成されていることが好ましい。
こうすれば、ロック片は、係止部近傍のみを、切込部によって分けられた該ロック片における他の部位から影響を受けることなく撓ませることができる。このため、蓋部の係合部にロック片の係止部を係合する際には、該係止部が形成された部位を撓ませることで容易にロック操作を行うことができる。
【００１５】
上記テープカセット用収納ケースにおいて、ロック片には、係止部が設けられた部位近傍を除き、先端部及び基端部の周縁を囲うようにリブが形成されていることが好ましい。
こうすれば、ロック片における、係止部が設けられていない部位では、周縁のリブによって剛性が確保されるとともに、係止部が設けられた部位近傍ではリブが形成されていないことによって可撓性を確保することができる。
【発明の効果】
【００１６】
本発明によれば、落下時にロックが外れることを防止することができるとともに、ロック操作を容易に行えるテープカセット用収納ケースを提供できる。
【発明を実施するための最良の形態】
【００１７】
以下、本発明に係る好適な実施の形態例を図面に基づいて詳細に説明する。図１は、本発明に係るテープカセット用収納ケースの第１の実施形態を示す開状態の斜視図である。  図２は、図１に示したテープカセット用収納ケースのロック片を示す斜視図である。図３〜図５はそれぞれ、図１に示したテープカセット用収納ケースをＡ−Ａ線方向にみた断面図であり、図３は、蓋部を閉じる前の状態を、図４は、蓋部を閉じた状態で、かつ、ロック片をロックする前の状態を、図５は、蓋部を閉じた状態で、かつ、ロック片をロック途中の状態をそれぞれ示す。
【００１８】
図１に示すように、テープカセット用収納ケース１０は、テープカセットＣを収納する収納部１１と、この収納部１１を囲む外板１３，１４，１５を有する蓋部１２と、収納部１１及び蓋部１２を開閉可能に連結するヒンジ板部１６と、ヒンジ部１８を介して収納部１１に対して可動に連結されたロック片１７と、が一体成形で構成されている。テープカセット用収納ケース１０は、ポリプロピレン（ＰＰ）等の高分子樹脂を材料として成形されている。
【００１９】
収納部１１の底板１９の外縁部には、周囲を囲んで配された周板２０，２１，２２，２３が立設されている。周板２０は収納部１１の正面側に配され、周板２１は収納部１１の背面側に配され、周板２２，２３は収納部１１の左・右面側に配されている。周板２０，２１，２２，２３の中央部には、高さが低くなるように切除された凹部２４，２５，２６，２７がそれぞれ形成されている。
【００２０】
収納部１１には、底板１９の中央部に、一対のリール係止リブ２８が形成されている。  リール係止リブ２８は、スリットによって周方向に複数に分割された円筒形状を有する。リール係止リブ２８にテープカセットＣに有する巻取ハブ（不図示）を挿入することにより、テープカセットＣを収納部１１に位置決めする。
【００２１】
収納部１１には、周板２０の前面における凹部２４の両側に、第１の係合部３０がそれぞれ形成されている。ヒンジ板部１６側に位置する外板１３の内面側両端部には、第１の係止部３１が形成されている。蓋部１２が閉じられる際に、第１の係合部３０と第１の係止部３１とが係合するように構成されている。
【００２２】
蓋部１２には、天板３２の外縁部に周囲の三方を囲んで配された外板１３，１４，１５が、天板３２上に直立して形成されている。蓋部１２を収納部１１に被せた状態で、外板１３が収納部１１の正面に位置するよう形成され、外板１４，１５が収納部１１の両側面に位置するように形成されている。
【００２３】
また蓋部１２には、対向配置された外板１４，１５の内側に、高さの高い四角柱形状の角ボス３３が形成されている。角ボス３３は、蓋部１２が収納部１１に対して閉じられた際に、収納部１１の周板２２，２３の外側面と蓋部１２の外板１４，１５の内側面との間に位置するように設けられ、閉じられた蓋部１２が適正な位置になるように案内する。
【００２４】
ヒンジ板部１６は、収納部１１と蓋部１２との間に、板形状に形成されている。ヒンジ板部１６における、収納部１１と蓋部１２に連結する縁辺には、ヒンジ３４，３５が形成されている。一方のヒンジ３４は、収納部１１の底板１９の一辺に連結されており、他方のヒンジ３５は、蓋部１２の天板３２の一辺に連結されている。
【００２５】
収納部１１の周板２０の端縁部４０における略中央には、ヒンジ部１８を介して、平面視において台形形状を有する板状のロック片１７が連結されている。ロック片１７における、ロック状態で収納部１１側に位置する面には第２の係止部４４が突設されている。
【００２６】
蓋部１２には、外板１３における外側略中央に、第２の係合部３６が突設されている。  第２の係合部３６は、蓋部１２を収納部１１に閉状態としたときに、ロック片１７の第２の係止部４４と係合可能な構成である。
【００２７】
カセットテープ用収納ケースは、図３〜図５の断面図で示すように、収納部１１の周板２０には、下端部から垂直に端縁部４０が突設されている。端縁部４０における略中央には、水平に延設された延設部４１と、延設部４１の先端から左斜め上方へ約４５°の角度を以って立設された傾斜部４２とが設けられる。
【００２８】
ロック片１７は、傾斜部４２の先端にヒンジ部１８を介して連接され、ロック片１７をロックさせる際に延設部４１の周板２０側へ折り畳むことができる。
【００２９】
このように、テープカセット用収納ケース１０は、蓋部１２が収納部１１に対して図１中の矢印方向に閉じられることにより、第１の係合部３０に第１の係止部３１がそれぞれ係合されてロックした後に、さらに、ロック片１７がヒンジ部１８を介して図１中の上方に向けて立ち上がることにより、ロック片１７の第２の係止部４４が蓋部１２の第２の係合部３６に係合されてロックする、所謂、ダブルロックする構成である。
【００３０】
図２を参照して、本実施形態のロック片の形状を説明する。
ロック片１７は、ヒンジ部１８を介して収納部１１の端縁部４０側に位置する基端部Ｌ１と、該基端部Ｌ１から端縁部４０とは反対側に一体的に延設された先端部Ｌ２とからなる。先端部Ｌ２には第２の係止部４４が設けられている。基端部Ｌ１の周縁にはリブ４５が立設されている。
【００３１】
具体的に、リブ４５は、基端部Ｌ１と先端部Ｌ２との境界に設けられた中央リブ４５ａと、中央リブ４５ａの図２中の左右両端部に一端がそれぞれ連接し、且つ、他端がヒンジ部１８に至るようにロック片１７の周縁に沿って延設された２つの縁部リブ４５ｂとから構成される。
【００３２】
本実施形態のテープカセット用収納ケース１０において、ロック片１７は、基端部Ｌ１が周縁に形成されたリブによって撓み難いのに対し、先端部にはリブが形成されていないことから、基端部Ｌ１に比べて、撓み易くなる。言い換えると、ロック片の先端部が基端部に比べて可撓性が大きく、基端部は先端部に比べて剛性が大きい。
【００３３】
次に、図３，４及び５を順に参照して本実施形態のテープカセット用収納ケースの作用を説明する。なお、図３〜５においては、収納部１１に収納されたテープカセットは記載せず省略している。
先ず、図３に示すように、収納部１１に対して蓋部１２を矢印方向に移動して閉状態とし、蓋部１２の外板１３の内側に設けられた第１の係止部３１を収納部周板２０の外側に設けられた第１の係合部３０に係合させる。次に、図４に示すように、蓋部１２を収納部１１に対して閉じた後で、ロック片１７を蓋部１２の外板１３側へ立ち上げる。
【００３４】
ここで、図５に示すように、ロック片１７の基端部Ｌ１を蓋部１２側へ接近させた場合に、手指で先端部Ｌ２を把持しつつ基端部Ｌ１に対して反らせるようにして撓ませることができる。すると、基端部Ｌ１のみを蓋部１２側の閉状態での位置に保持するとともに、先端部Ｌ２を正確に第２の係合部３６へ係合させることが可能となる。このとき、先端部Ｌ２は、基端部Ｌ１に対して可撓性が大きいため、容易に撓ませることができるため、係合させる際に強い力で係合をする必要がない。
【００３５】
また、蓋部１２にロック片１７を係合させた状態のテープカセット用収納ケースを落下させた際に、図５の矢印方向に落下による衝撃が加わっても、ロック片１７の基端部Ｌ１は先端部Ｌ２に比べて剛性が大きくなるように構成されていることから、該基端部に衝撃による撓みが生じ難い。
【００３６】
このように、上記のテープカセット用収納ケースによれば、ロック片１７の、係止部４４が設けられた部位（本実施形態では先端部Ｌ２）が基端部Ｌ１よりも可撓性が大きくなるように構成されている。すると、ロック片１７を蓋部１２に係合する際に、該ロック片１７の先端部Ｌ２における係止部４４近傍のみを適宜に撓ませることで、係止部４４を係合部３６に係合させることができるため、ロック操作が容易になる。また、係止部４４が設けられていない基端部Ｌ１は、先端部Ｌ２より可撓性が小さいため、該基端部Ｌ１の剛性が先端部Ｌ２より高くなり、ロック片１７を蓋部１２に係合させた状態で、落下の衝撃が加わっても基端部Ｌ１に撓みが生じにくくなるため、撓みに起因してロック片１７の係合が外れてしまうことを抑制することができ、収納部１１からテープカセットが飛び出して損傷することを防止できる。
【００３７】
上記実施形態では、ロック片の先端部の全体を基端部より可撓性が大きくなるように構成したがこれに限定されない。例えば、ロック片の先端部における係止部が設けられた部位が基端部に比べて可撓性が大きくなる構成とすれば、同じ効果を得ることができる。以下、ロック片を変形した構成を有する他の実施形態を説明する。
【００３８】
図６は、本発明に係るテープカセット用収納ケースの第２の実施形態において、ロック片を示す斜視図である。なお、以下に説明する実施形態において、すでに説明した部材などと同等な構成・作用を有する部材等については、図中に同一符号又は相当符号を付すことにより、説明を簡略化或いは省略する。
【００３９】
図６に示すように、テープカセット用収納ケース５０において、ロック片５１の周縁にはリブ５２が形成されている。リブ５２は、先端部Ｌ２の先端側縁部近傍に立説された中央リブ５２ａと、中央リブ５２ａの図６中の左右両端部に一端が連接し、他端がヒンジ部１８に至るようにロック片５１の縁部に沿って延設された２つの縁部リブ５２ｂとから構成される。
【００４０】
ロック片５１の先端部Ｌ２には、図６における上方視において、反対側の面（下側の面）に貫通する２つの切込部５３が形成されている。２つの切込部５３は、先端部Ｌ２からヒンジ部１８に向って平行に形成され、２つの切込部５３同士の間に係止部４４が位置するように形成されている。このため、ロック片５１の先端部Ｌ２は、２つの切込部５３によって３つに分枝する形状を有し、ロック片５１における中央に分枝する部位に係止部４４が位置する。
【００４１】
本実施系形態では、ロック片５１は、係止部４４近傍のみを、切込部５３によって分枝させることで、該ロック片５１における他の部位から影響を受けることなく撓ませることができる。このため、蓋部１２の係合部３６にロック片５１の係止部４４を係合する際には、該係止部４４が形成された分枝の１つを撓ませることで容易にロック操作を行うことができる。
【００４２】
また、係止部４４が設けられていない基端部Ｌ１及び先端部Ｌ２における係止部４４が設けられていない分枝は、可撓性が小さいため、ロック片５１を蓋部１２に係合させた状態で、落下の衝撃が加わっても撓みが生じにくくなる。このため、係止部４４が設けられていない部位は落下の衝撃による撓みに起因してロック片５１の係合が外れてしまうことを抑制することができ、収納部１１からテープカセットが飛び出して損傷することを防止できる。
【００４３】
図７は、本発明に係るテープカセット用収納ケースの第３の実施形態において、ロック片を示す要部斜視図である。
【００４４】
図７に示すように、テープカセット用収納ケース６０において、第２の実施形態のものと同様に、ロック片６１の周縁にはリブ５２が形成されている。リブ５２は、先端部Ｌ２の先端側縁部近傍に立説された中央リブ５２ａと、中央リブ５２ａの図７中の左右両端部に一端が連接し、他端がヒンジ部１８に至るようにロック片６１の縁部に沿って延設された２つの縁部リブ５２ｂとから構成される。
【００４５】
本実施形態では、ロック片６１において、係止部４４が設けられた部位近傍ではリブ５２にはスリット６２が設けられ、リブ５２を一部設けていない構成である。つまり、ロック片６１には、係止部４４が設けられた部位近傍を除き、先端部Ｌ２及び基端部Ｌ１の周縁を囲うようにリブ５２が形成されている。
【００４６】
本実施形態のテープカセット用収納ケースによれば、ロック片６１において、係止部４４が設けられていない部位では、周縁のリブ５２によって剛性が確保されるとともに、係止部４４が設けられた部位近傍ではリブ５２が形成されない構成とすることで係止部４４近傍の可撓性を確保できる。
【００４７】
図８は、本発明に係るテープカセット用収納ケースの第４の実施形態において、ロック片を示す要部斜視図である。本実施形態のテープカセット用収納ケースは、上記第３の実施形態を変形したものである。以下、第３の実施形態の構成と相違する点を説明する。
【００４８】
本実施形態では、ロック片６１には、平面視においてコの字形のスリット６３が形成されている。スリット６３は、ロック片６１の平面視において貫通するように形成され、スリット６３の端部がリブ５２のスリット６２が設けられた箇所に位置している。なお、スリット６３は、ロック片６１の図中下方面に貫通しないように所定の深さを有する溝部としてもよい。
【００４９】
本実施形態のテープカセット用収納ケースによれば、係止部４４を囲むようにロック片６１にスリット６３を設けることで、係止部４４が設けられた部位近傍の可撓性をより一層向上させることができる。
【００５０】
なお、本発明は、前述した実施形態に限定されるものではなく、適宜、変形、改良等が可能である。
例えば、ロック片の形状は、上記実施形態のように平面視において台形形状とすることに限定されない。すなわち、ロック片は、平面視において長方形、又は、半円形状としてもよい。
また、係止部の形状は、蓋部の係合部に係合させることが可能であれば適宜に変形することができる。
【図面の簡単な説明】
【００５１】
【図１】本発明に係るテープカセット用収納ケースの第１の実施形態を示す開状態の外観斜視図である。
【図２】図１に示したテープカセット用収納ケースのロック片を示す要部斜視図である。
【図３】図１に示したテープカセット用収納ケースのダブルロックの構成を示す要部断面図であり、蓋部を閉じる前の状態を示す。
【図４】図１に示したテープカセット用収納ケースのダブルロックの構成を示す要部断面図であり、蓋部を閉じた状態で、かつ、ロック片をロックする前の状態を示す。
【図５】図１に示したテープカセット用収納ケースのダブルロックの構成を示す要部断面図であり、蓋部を閉じた状態で、かつ、ロック片をロック途中の状態を示す。
【図６】本発明に係るテープカセット用収納ケースの第２の実施形態を示すロック片の要部斜視図である。
【図７】本発明に係るテープカセット用収納ケースの第３の実施形態を示すロック片の要部斜視図である。
【図８】本発明に係るテープカセット用収納ケースの第４の実施形態を示すロック片の要部斜視図である。
【図９】従来のテープカセット用収納ケースの開状態の外観図である。
【符号の説明】
【００５２】
１０              テープカセット用収納ケース
１１              収納部
１２              蓋部
１７              ロック片
３６              第２の係合部
４４              第２の係止部
４５              リブ
４５ａ            中央リブ
４５ｂ            縁部リブ
Ｌ１              （ロック片の）基端部
Ｌ２              （ロック片の）先端部
Ｃ                テープカセット
【図１】
2006001584.tif 000003
【図２】
2006001584.tif 000004
【図３】
2006001584.tif 000005
【図４】
2006001584.tif 000006
【図５】
2006001584.tif 000007
【図６】
2006001584.tif 000008
【図７】
2006001584.tif 000009
【図８】
2006001584.tif 000010
【図９】
2006001584.tif 000011